(57)【要約】【課題】釣銭機の再精査を効率的に行うことができる商品販売データ処理装置を提供すること。【解決手段】ＰＯＳ端末と釣銭機とを有する商品販売データ処理装置である。釣銭機の操作履歴を記憶する記憶手段と、記憶手段に記憶された操作履歴に基づいて釣銭在高に異常が発生した可能性のある釣銭機内の金種を検出する検出手段と、検出手段にて検出された金種の状態を出力する出力手段と、出力手段にて釣銭在高に異常が発生した可能性のある金種が出力された場合に当該金種のみを選択して再精査する再精査手段と、を備える。【選択図】図１０
2019197274.tif 000002
【特許請求の範囲】
【請求項１】
釣銭機を有する商品販売データ処理装置において、
前記釣銭機の操作履歴を記憶する記憶手段と、
前記記憶された操作履歴に基づいて、釣銭在高に異常が発生した可能性のある前記釣銭機内の金種を検出する検出手段と、
前記検出手段にて検出された金種の状態を出力する出力手段と、
を備えることを特徴とする商品販売データ処理装置。
【請求項２】
前記出力手段にて前記釣銭在高に異常が発生した可能性のある金種が出力された場合、当該金種のみを選択して再精査する再精査手段をさらに備えることを特徴とする請求項１に記載の商品販売データ処理装置。
【請求項３】
前記検出手段にて検出された金種を、少なくとも紙幣と硬貨の区分で報知し、前記報知された紙幣又は硬貨を指定して釣銭在高を再精査することを特徴とする請求項１又は２に記載の商品販売データ処理装置。
【請求項４】
表示部を有し、前記表示部に、前記釣銭在高に異常が発生した可能性のある金種をその他の金種より優先して表示することを特徴とする請求項１乃至３の内の何れかに記載の商品販売データ処理装置。
【請求項５】
前記再精査手段は、閉設処理を実行するとき、それぞれの金種の選択を行うことを禁止する禁止手段を備えることを特徴とする請求項２に記載の商品販売データ処理装置。
【請求項６】
前記再精査手段は、前記釣銭在高に異常が発生した可能性のある金種の再精査を行う際の再精査所要時間を算出し、当該再精査所要時間を報知することを特徴とする請求項２に記載の商品販売データ処理装置。
【請求項７】
売上データを集計処理するデータ処理部と、
売上データに基づいて入出金を行う釣銭機と、
釣銭在高に異常が発生した可能性のある前記釣銭機内の金種を検出する検出手段と、
前記検出手段にて検出された金種の状態を出力する出力手段と、
を備えることを特徴とする商品販売データ処理システム。
【請求項８】
売上データを集計処理する集計処理ステップと、
売上データに基づいて入出金を行う釣銭機内において釣銭在高に異常が発生した可能性のある金種を検出する検出ステップと、
前記検出ステップにて検出された金種の状態を出力する出力ステップと、
をコンピュータに実行させることを特徴とする商品販売データ処理装置用プログラム。
【発明の詳細な説明】
【技術分野】
【０００１】
本発明は、釣銭機をＰＯＳ端末などのデータ処理部に接続してなる商品販売データ処理装置に関し、特に、釣銭機の釣銭在高に差異が発生したような場合に効率的に再精査することができる商品販売データ処理装置に関するものである。
【背景技術】
【０００２】
従来、釣銭機（自動釣銭機）とＰＯＳ端末等のデータ処理部（精算装置、会計装置）とを備えた商品販売データ処理装置が利用されている。この種の商品販売データ処理装置は、ＰＯＳ端末（ＰＯＳレジスタ）において客が買い上げる商品の売上登録を行い、次に釣銭機に対して現金を預けると、この釣銭機から釣銭相当の現金（紙幣や硬貨）が自動的に払い出される構成となっている。
【０００３】
そして例えば１日の売上金を回収して売上集計を行う際は、前記釣銭機から１日の売上金を排出させる。同時に、ＰＯＳ端末によって、日計レポートと釣銭回収レシートとを印刷し、回収した売上金の確認作業を行う。
【０００４】
また、店舗では、開店中にレジ係が交代する際などに、釣銭機の再精査を行うことがある。この再精査は、在高異常やレジ係の不正防止を早めに確認するためであり、通常は、全ての金種について再精査を実行する。即ち例えば、店舗では、紙幣や硬貨によっては、詰まったり、識別不能な紙幣や硬貨が排出されたりなどするので、理論値（理論残値）と実績値（実残値）に差異が発生するので、レジ担当者が交代する際などに、当該レジ担当者の売上金や、釣銭機の理論残値と実残値の相違を確認する。
【先行技術文献】
【特許文献】
【０００５】
【特許文献１】特開２０１７−１４２６８８号公報
【発明の概要】
【発明が解決しようとする課題】
【０００６】
前記釣銭機の再精査は、異常の発生の有無にかかわらず、通常は全ての金種（紙幣や硬貨）に対して実行されていた。しかし、この再精査を店舗の営業時間中などに実施していると、それを原因として客待ちなどが発生する虞があった。特に来客数が多い時間帯では影響が顕著になってしまう。このため、前記再精査に対して時間短縮が望まれていた。
【０００７】
本発明は上述の点に鑑みてなされたものでありその目的は、釣銭機の再精査を効率的に行うことができる商品販売データ処理装置を提供することにある。
【課題を解決するための手段】
【０００８】
本発明は、釣銭機を有する商品販売データ処理装置において、前記釣銭機の操作履歴を記憶する記憶手段と、前記記憶された操作履歴に基づいて、釣銭在高に異常が発生した可能性のある前記釣銭機内の金種を検出する検出手段と、前記検出手段にて検出された金種の状態を出力する出力手段と、を備えることを特徴としている。
釣銭機には、紙幣釣銭機、硬貨釣銭機、紙幣及び硬貨釣銭機の何れの釣銭機も含む（以下同様）。
本発明によれば、釣銭在高に異常が発生した可能性のある金種を検出（特定）してその状態を出力するので、再精査の対象を、全金種から特定の金種に絞ることが可能になる。これによって、再精査の時間を短縮することが可能になる。
【０００９】
また本発明は、上記特徴に加え、前記出力手段にて前記釣銭在高に異常が発生した可能性のある金種が出力された場合、当該金種のみを選択して再精査する再精査手段をさらに備えることを特徴としている。
釣銭在高に異常が発生した可能性のある金種のみについて再精査を行うので、再精査の時間を短縮できる。
【００１０】
また本発明は、上記特徴に加え、前記検出手段にて検出された金種を、少なくとも紙幣と硬貨の区分で報知し、前記報知された紙幣又は硬貨を指定して釣銭在高を再精査することを特徴としている。
本発明によれば、金種を指定して再精査するので、再精査の対象を、全金種から特定の金種に絞ることができ、これによって、再精査の時間を短縮することができる。
【００１１】
また本発明は、上記特徴に加え、表示部を有し、前記表示部に、前記釣銭在高に異常が発生した可能性のある金種をその他の金種より優先して表示することを特徴としている。
本発明によれば、表示部の表示に基づいて、容易に、釣銭在高に異常が発生した可能性のある金種のみを指定して再精査を行わせることができる。
【００１２】
また本発明は、前記再精査手段が、閉設処理を実行するとき、それぞれの金種の選択を行うことを禁止する禁止手段を備えることを特徴としている。
これによって違算の発生を確実に防止することができる。
【００１３】
また本発明は、上記特徴に加え、前記再精査手段は、前記釣銭在高に異常が発生した可能性のある金種の再精査を行う際の再精査所要時間を算出し、当該再精査所要時間を報知することを特徴としている。
本発明によれば、作業者が再精査所要時間を認識することができるので、再精査を行う前に、再精査を行うか否かを容易に判断することができる。
【００１４】
また本発明は、売上データを集計処理するデータ処理部と、売上データに基づいて入出金を行う釣銭機と、釣銭在高に異常が発生した可能性のある前記釣銭機内の金種を検出する検出手段と、前記検出手段にて検出された金種の状態を出力する出力手段と、を備えることを特徴とする商品販売データ処理システムにある。
本発明によれば、釣銭在高に異常が発生した可能性のある金種を検出（特定）してその状態を出力するので、再精査の対象を、全金種から特定の金種に絞ることが可能になる。これによって、再精査の時間を短縮することが可能になる。
【００１５】
また本発明は、売上データを集計処理する集計処理ステップと、売上データに基づいて入出金を行う釣銭機内において釣銭在高に異常が発生した可能性のある金種を検出する検出ステップと、前記検出ステップにて検出された金種の状態を出力する出力ステップと、をコンピュータに実行させることを特徴とする商品販売データ処理装置用プログラムにある。
本発明によれば、釣銭在高に異常が発生した可能性のある金種を検出（特定）してその状態を出力するので、再精査の対象を、全金種から特定の金種に絞ることが可能になる。これによって、再精査の時間を短縮することが可能になる。
【発明の効果】
【００１６】
本発明によれば、釣銭機の再精査を効率的に行うことができる。
【図面の簡単な説明】
【００１７】
【図１】ＰＯＳシステム１００のシステム構成図である。
【図２】釣銭機５０の機能構成図である。
【図３】商品販売データ処理装置１の１構成例を示すブロック図である。
【図４】釣銭機５０における入出金処理手順を、ＰＯＳ端末１０との関係で示す概略処理フロー図である。
【図５】釣銭機５０に異常が発生した場合の処理フロー図である。
【図６】メインメニュー画面Ｇ１の一例を示す図である。
【図７】レジ釣銭機速報画面Ｇ２を示す図である。
【図８】レジ釣銭機速報画面Ｇ２を示す図である。
【図９】売上点検（精算）画面Ｇ３を示す図である。
【図１０】再精査を行う場合の概略処理フロー図である。
【図１１】再精査画面Ｇ４−１〜３を示す図である。
【図１２】再精査実行確認画面Ｇ５を示す図である。
【図１３】実行中画面Ｇ６を示す図である。
【図１４】ＰＯＳ端末１０から再精査の指示を受信した際の釣銭機５０における動作フロー図である。
【図１５】パスワード入力画面Ｇ７を示す図である。
【図１６】再精査結果表示画面Ｇ８を示す図である。
【図１７】レシート１４０，１４０−２の一例を示す図である。
【図１８】閉設処理を行う場合の概略フロー図である。
【発明を実施するための形態】
【００１８】
以下、本発明の実施形態を図面を参照して詳細に説明する。
図１は本発明の一実施形態にかかる商品販売データ処理装置１を有するＰＯＳシステム１００のシステム構成図である。同図に示すように、ＰＯＳシステム１００は、管理装置１１０と、監視装置１２０と、複数台の商品販売データ処理装置１とをＬＡＮ２１０によって接続して構成されている。管理装置１１０は、社内ＬＡＮなどのネットワーク１３０を介して、図示しない上位コンピュータ（本部の管理装置等）に接続されている。管理装置１１０は、ストアコントローラなどと呼ばれている。監視装置１２０は、商品販売データ処理装置１などの他の装置を監視する。また商品販売データ処理装置１は、ＰＯＳ端末（データ処理部）１０と釣銭機（自動釣銭釣札機）５０とを、データ通信可能に接続して構成されている。
【００１９】
図３は、商品販売データ処理装置１の１構成例を示すブロック図である。同図に示すように、商品販売データ処理装置１のＰＯＳ端末（データ処理部）１０は、ＣＰＵ１１と、ＲＯＭ１３と、ＲＡＭ１５と、表示部（以下「タッチパネル」という）１７と、客側表示部１９と、印字出力部２１と、キー操作部２３と、スキャナ部２５と、通信部２７とを有し、これらをバス２９によって接続して構成されている。なお、ＰＯＳ端末１０は、実際には、さらにカード決済に用いるカードリーダライタ等を有するが、この実施形態では、説明の簡素化のため、現金での精算処理のみについて説明する。
【００２０】
ＣＰＵ１１は、ＲＯＭ１３に記憶されているプログラムを実行することで、ＰＯＳ端末１０の各種動作を制御する。ＲＯＭ１３は、ＣＰＵ１１が実行するプログラム等を記憶する。このプログラムには、下記する図４（そのＰＯＳ端末１０側）、図５（そのＰＯＳ端末側）、図１０、図１８等の処理をＣＰＵ１１に実行させる商品販売データ処理用プログラムを含んでいる。ＲＡＭ１５は、ＣＰＵ１１が利用する各種データを記憶し、ＣＰＵ１１の作業領域として利用される。タッチパネル１７は、所定の操作画面を表示する表示部であり、またタッチ操作が行われるのに応じてそのタッチされた位置情報を出力する操作部でもある（即ちタッチパネル１７は、表示部兼操作部である）。ＣＰＵ１１は、この位置情報を操作情報として処理し、これによってタッチパネル１７に対するタッチ操作に応答し動作が行われる。客側表示部１９には、客に対して提示すべき情報、例えば買上金額や、釣銭の金額等が表示される。
【００２１】
印字出力部２１は、取引毎に応じて、買上商品、預かり金及び釣銭等の取引に関連する項目を用紙に印字し、レシートとして発行する。また印字出力部２１は、釣銭機５０において再精査が行われた場合に発行する下記する再精査用のレシート１４０，１４０−２  や日計レポート等の発行も行う。キー操作部２３は、テンキー、合計キー、手入力現金キー、売上回収キー、商品登録に関する各種キー等が設けられ、これらキーを操作することで、ＣＰＵ１１に操作信号が出力される。ＣＰＵ１１は、入力した操作信号に応じた処理を行う。スキャナ部２５は、商品のバーコードからその商品の各種情報を読み出す。通信部２７は、ドロアー３１や釣銭機５０（その通信部５９）と通信可能に接続されている。
【００２２】
釣銭機５０は、ＣＰＵ５１と、ＲＯＭ５３と、ＲＡＭ５５と、ソレノイド制御部５７と、通信部５９と、モータ制御部６１と、センサ制御部６３とを、バス６５によって接続して構成されている。
【００２３】
ＣＰＵ５１は、ＲＯＭ５３に記憶されているプログラムを実行することで、釣銭機５０の各種動作を制御する。ＲＯＭ５３は、ＣＰＵ５１が実行するプログラム等を記憶する。このプログラムには、下記する図４（その釣銭機５０側）、図５（その釣銭機５０側）、図１４などの処理をＣＰＵ５１に実行させる商品販売データ処理用プログラムを含んでいる。ＲＡＭ５５は、ＣＰＵ５１が利用する各種データを記憶し、ＣＰＵ５１の作業領域として利用される。ソレノイド制御部５７は、釣銭機５０を駆動操作するための各種ソレノイド６７を制御する。通信部５９は、前記通信部２７と相互通信を行う。モータ制御部６１は、釣銭機５０を駆動制御するための各種モータ６８を制御する。センサ制御部６３は、釣銭機５０を駆動制御するための各種センサ６９を制御する。モータ６８は、釣銭機５０の内部において、貨幣の搬送等に用いられる。ソレノイド６７は、硬貨の払出し動作等に用いられる。センサ６９は、貨幣の検出などに用いられる。
【００２４】
図２は、釣銭機５０の機能構成図である。同図に示すように、釣銭機５０は、制御部７１と、貨幣収納部７３と、搬送部７５と、紙幣投入部７７と、硬貨投入部７９と、紙幣払出部８１と、硬貨払出部８３と、判読不能硬貨払出部（リジェクト硬貨払出部）８５とを具備して構成されている。
【００２５】
制御部７１は、前記ＣＰＵ５１とＲＯＭ５３とＲＡＭ５５等からなり、前記ソレノイド制御部５７、モータ制御部６１、センサ制御部６３等を制御することで、この釣銭機５０を駆動制御する。また前述のように、制御部７１は前記ＰＯＳ端末１０と通信を行う。貨幣収納部７３は、紙幣収納部７３１と硬貨収納部７３３とを有し、搬送部７５から搬送されてきた紙幣と硬貨を、これら紙幣収納部７３１と硬貨収納部７３３に、それぞれ金種別に格納する。なお、貨幣収納部７３内には、貨幣の入出金が行え、且つ釣銭機５０の開閉扉を開くことで内部の貨幣を人によって出し入れできる収納庫と、一度入金すると内部に別途設けた鍵を開錠して手作業でしか開けない金庫とが設置されている。搬送部７５は、貨幣（紙幣と硬貨）を搬送する機構である。搬送部７５は、入金のため紙幣投入部７７に投入された紙幣と、入金のため硬貨投入部７９に投入された硬貨を、それぞれ貨幣収納部７３に搬送する。尚、入金された紙幣、及び硬貨は各々検査部にて検査され、貨幣と認識できなかった判読不能貨幣について、紙幣の場合は、紙幣投入部７７より、硬貨の場合は、硬貨払出部８１またはリジェクト硬貨払出部８５より払出される。図示していないが、検査部は一時的に入金された貨幣を預る機能も有しており、入金した貨幣そのものを払い出す。操作中止の場合も同様に、入金された貨幣を払い出す。また搬送部７５は、出金（お釣又は回収のための出金、以下同様）のため制御部７１により指定された金種及び枚数の紙幣を貨幣収納部７３から紙幣払出部８１に搬送し、また制御部７１により指定された金種及び枚数の硬貨を貨幣収納部７３から硬貨払出部８３に搬送する。
【００２６】
搬送部７５は、入金金種内訳検出部７５１と出金金種内訳検出部７５３とを備える。入金金種内訳検出部７５１は、預かり金として入金された現金の入金金種内訳を検出する。つまり、入金金種内訳検出部７５１は、紙幣投入部７７と硬貨投入部７９に投入（入金）された紙幣と硬貨毎の金種と、金種毎の枚数を検出する。入金金種内訳検出部７５１は、入金された現金を一時保管する一時保管部としての機能も有する。そして制御部７１は、この検出結果を示す入金金種内訳情報を生成し、ＲＡＭ５５に記憶し、またＰＯＳ端末１０にその情報を送信する。制御部７１は、上記預かり金として入金された金額と、ＰＯＳ端末１０から通知された買上情報に基づいて釣銭の金額を算出し、算出された釣銭を出金するにあたり、その金種毎の枚数を決定し、搬送部７５に通知する。搬送部７５は、通知された金種と金種毎の枚数に従って、貨幣収納部７３から貨幣（紙幣、硬貨）を搬送し、紙幣払出部８１や硬貨払出部８３から排出する。その際、出金金種内訳検出部７５３は、貨幣収納部７３から紙幣払出部８１と硬貨払出部８３に搬送された紙幣と硬貨のそれぞれについて、その金種と金種毎の枚数を検出する。そして制御部７１は、この検出結果を示す出金金種内訳情報を生成し、ＲＡＭ５５に記憶する。
【００２７】
また釣銭機５０は、ＰＯＳ端末１０からの指令に基づかないで、釣銭機５０に対する単独操作でも釣銭機５０内から貨幣を取り出せる構成となっており、そのような釣銭機単独操作による貨幣の取り出しや収納があった場合、制御部７１は、前記取り出しや収納があった旨と、その金額及び金種毎の枚数をＲＡＭ５５に記憶させる。
【００２８】
図４は、釣銭機５０における入出金処理手順を、ＰＯＳ端末１０との関係で示す概略処理フロー図である。同図に示すように、釣銭機５０は、ＰＯＳ端末１０において商品の登録が完了して買上情報が釣銭機５０に送信される（ステップＳＴ１−１）のに応じて、この買上情報を受信する（ステップＳＴ２−１）。買上情報には、今回の取引における買上金額が示されている。次に、制御部７１（ＣＰＵ５１、以下同様）は、紙幣投入部７７と硬貨投入部７９からの入金処理を行う（ステップＳＴ２−２）。入金が完了してその入金額をＰＯＳ端末１０が受信（ステップＳＴ１−２）すると、ＣＰＵ１１は、上記買上情報において示される買上金額と、上記預かり金の入金合計金額とに基づいて釣銭が必要か否かを判定する（ステップＳＴ１−３）。そして、釣銭が必要と判断した場合は、ＣＰＵ１１は釣銭機５０に出力指示を行い（ステップＳＴ１−４）、制御部７１は、釣銭の出金処理を行う（ステップＳＴ２−３，ＳＴ２−４）。つまり、ＣＰＵ１１は、上記買上金額と入金合計金額との差分に基づいて釣銭の金額を算出し、その出金を指示する。そして、制御部７１は、その釣銭を出金するにあたっての出金金種の内訳を決定し、決定された出金金種の内訳に従って紙幣払出部８１と硬貨払出部８３から紙幣と硬貨が排出されるように搬送部７５を駆動制御する。なお、出金金種の内訳の決定はＣＰＵ１１において行い、これを出金指示に合わせて釣銭機５０に指示しても良い。一方、ＣＰＵ１１が、ステップＳＴ１−３において釣銭は必要ないと判定して釣銭機５０に出金不要指示を行った場合（ステップＳＴ１−５）、または上記ステップＳＴ２−４による出金処理が終了した場合、制御部７１は、今回の取引に係る会計処理が終了した旨を示す会計終了通知を、ＰＯＳ端末１０に対して送信する（ステップＳＴ２−５）。一方、ＰＯＳ端末１０は、釣銭機５０から会計終了通知を受信すると（ステップＳＴ１−６）、ＣＰＵ１１が、当該会計をその操作履歴に記憶し（ステップＳＴ１−７）、会計処理を終了する。
【００２９】
ところで、上記釣銭機５０においては、何らかの異常が発生する場合がある。例えば、釣銭機５０においてその動作等にエラーが発生した場合や、釣銭機５０が何れかのタイミングで人によって開閉されたような場合等である。そしてこのように釣銭機５０に何らかの異常が発生した場合は、釣銭機５０からＰＯＳ端末１０に通知される釣銭機５０内の金額と、実際の釣銭機５０内の金額とが異なるような場合が生じるため、この釣銭機５０内に入っている在り高を再度計算（再精査）することで金額を合致させる必要が生じる。
【００３０】
図５は、釣銭機５０に異常が発生した場合の処理フロー図である。同図に示すように、釣銭機５０に何らかの異常が発生した場合（ステップＳＴ３−１）は、釣銭機５０内に収納している貨幣の状態（異常が発生した可能性のある金種とその枚数等）について、再精査が必要である旨と再精査が必要な金種に関する要再精査信号をＰＯＳ端末１０に送信する（ステップＳＴ３−２）。なお、ＰＯＳ端末１０では、上記要再精査信号を受け取ると（ステップＳＴ４−１）、当該要再精査信号の情報を当該会計の操作履歴に記憶する（ステップＳＴ４−２）。
【００３１】
図６は、ＰＯＳ端末１０のタッチパネル１７に表示されるメインメニュー画面Ｇ１の一例を示す図である。同図に示すように、メインメニュー画面Ｇ１中には、売上速報ボタンＧ１１、売上点検ボタンＧ１２、売上精算ボタンＧ１３等の各種メニューを選択するボタンが表示されている。売上速報ボタンＧ１１は、使用中のＰＯＳ端末１０の現在の釣銭機５０の状態を確認するためのものであり、売上点検ボタンＧ１２は、使用中のＰＯＳ端末１０においてこれを操作する店員が交代する場合に現在の釣銭機５０の状態を確認するためのものであり、売上精算ボタンＧ１３は、一日の業務が終了して売上回収を行う際に釣銭機５０の状態を確認するためのものである。
【００３２】
そして例えば、売上速報ボタンＧ１１が押下されると、直後又は他の所定の画面を介して、図７又は図８に示すようなレジ釣銭機速報画面Ｇ２が表示される。一方、売上点検ボタンＧ１２又は売上精算ボタンＧ１３が押下されると、直後又は他の所定の画面を介して、図９に示すような売上点検（精算）画面Ｇ３が表示される。ここで図７に示すレジ釣銭機速報画面Ｇ２は、ＰＯＳ端末１０が前記要再精査信号を受信しなかった場合（即ち、記憶手段である前記ＲＡＭ１５が記憶している操作履歴に基づいて釣銭在高に異常が発生した可能性のある金種を検出手段としてのＣＰＵ１１が検出しなかった場合、つまり釣銭機５０に何ら異常が発生しなかった場合）を示し、図８に示すレジ釣銭機速報画面Ｇ２は、ＰＯＳ端末１０が前記要再精査信号を受信した場合（即ち記憶手段である前記ＲＡＭ１５が記憶している操作履歴に基づいて釣銭在高に異常が発生した可能性のある金種を検出手段としてのＣＰＵ１１が検出した場合、つまり釣銭機５０に異常が発生した場合）を示している。そして前記検出された金種は、出力手段としてのＣＰＵ１１がその情報を出力し、前記図８に示すレジ釣銭機速報画面Ｇ２に当該金種を報知する。即ち、図８に示すレジ釣銭機速報画面Ｇ２には、釣機在高不確定表示Ｇ２３が表示されているのに対し、図７に示すレジ釣銭機速報画面Ｇ２には、前記釣機在高不確定表示Ｇ２３が表示されていない。その理由は、釣機在高不確定表示Ｇ２３が、釣銭在高に異常が発生した可能性のある金種を報知する報知手段だからである。ここで釣機在高不確定表示Ｇ２３には、再精査が必要である旨の表示（この例では「釣機在高不確定」の表示）と、再精査が必要な具体的金種の表示（この例では「５０円，１０円，１円」の表示）とを表示している。釣機在高不確定表示Ｇ２３は点滅させても良いし、他の部分とは色彩を異ならせても良い。またこれら図７，図８に示すレジ釣銭機速報画面Ｇ２は、硬貨の各金種についてその枚数の表示等が行われており、紙幣の各金種についてその枚数の表示等を行うには、これら画面Ｇ２と同等の別の画面に切り換える必要がある。切り換える場合は、硬貨紙幣切換ボタンＧ２５を押下する。もちろん１つの画面に硬貨と紙幣の全ての金種についてその枚数の表示や釣機在高不確定表示Ｇ２３等をするように構成しても良い。またこの例では、図７，図８の両図に示すレジ釣銭機速報画面Ｇ２に精査ボタンＧ２１を表示しているが、精査ボタンＧ２１は図８に示すレジ釣銭機速報画面Ｇ２のみに表示しても良い。即ち精査ボタンＧ２１は、要再精査信号を受信した場合に釣機在高不確定表示Ｇ２３と共に表示させても良い。なおこの例では、釣機在高不確定表示Ｇ２３に、「釣機在高不確定」の文言と、再精査が必要な具体的金種（この例では「５０円，１０円，１円」）の両者を表示しているが、場合によっては何れか一方のみを表示しても良い。また釣機在高不確定表示Ｇ２３の部分に具体的金種を表示する代わりに、またはそれと共に、当該レジ釣銭機速報画面Ｇ２の画面中の「収納庫保留」の欄の対応する「金種」または「枚数」の部分の表示を、他の「金種」または「枚数」の部分の表示と異ならせて表示（例えば色彩を変える、点滅させるなど）しても良い。また場合によっては（例えば釣銭機５０による再精査が、その能力上、紙幣と硬貨の場合分けでしか行えないような場合には）、前記具体的金種の表示の代わりに、「紙幣」や「硬貨」という表示としても良い（この場合は、以下の再精査工程で、紙幣又は硬貨単位で再精査を行うことになる）。
【００３３】
図１０は、前記図８に示すレジ釣銭機速報画面Ｇ２、または図９に示す売上点検（精算）画面Ｇ３において、再精査を行う場合の概略処理フロー図である。即ち、図８に示すレジ釣銭機速報画面Ｇ２において、精査ボタン（再精査ボタン）Ｇ２１が押下された場合、または図９に示す売上点検（精算）画面Ｇ３において、釣機再精査ボタン（再精査ボタン）Ｇ３１が押下された場合（ステップＳＴ５−１）は、例えば図１１（ａ）〜（ｃ）に示す再精査画面Ｇ４−１〜Ｇ４−３の内の何れかが表示される（ステップＳＴ５−２）。
【００３４】
図１１（ａ）の再精査画面Ｇ４−１には、「在高不確定の硬貨のみ」のボタン（在高不確定硬貨のみボタン）Ｇ４−１１のみが表示されている。具体的には、前記図８に示すレジ釣銭機速報画面Ｇ２において釣機在高不確定とされた５０円と１０円と１円についてのみ再精査が可能な在高不確定硬貨のみボタンＧ４−１１が表示されている。この例は図８に示すレジ釣銭機速報画面Ｇ２において硬貨のページを表示しているので、在高不確定硬貨のみボタンＧ４−１１を表示しているが、レジ釣銭機速報画面Ｇ２が紙幣のページを表示している場合で釣機在高不確定の紙幣がある場合は、在高不確定紙幣のみボタンを表示する。
【００３５】
また、図１１（ｂ）の再精査画面Ｇ４−２の場合は、前記在高不確定硬貨のみボタンＧ４−１１と同様の機能を有する在高不確定硬貨のみボタンＧ４−２１の他に、「全て〔パスワード必要〕」のボタン（全てボタン）Ｇ４−２３が表示されている。全てボタンＧ４−２３は、全ての金種の紙幣と、全ての金種の硬貨を再精査するものであるが、この操作を行うには、別途パスワードが必要である旨を表示している。例えば実行ボタンＧ４４−２を押下した際に、パスワードの入力が求められ、これを入力しないと先に進めないようにする。即ち、全てボタンＧ４−２３は、例えば店長などの所定の権限を有する者以外は操作できない構成となっていて、通常は、在高不確定硬貨のみボタンＧ４−２１のみが操作できる構成となっている。なお、例えば、ＰＯＳ端末１０に店長などの所定の権限を有する者がログインしているような場合は、前記パスワードの入力による権限認証を省略する構成としても良い。
【００３６】
また、図１１（ｃ）の再精査画面Ｇ４−３には、前記全てボタンＧ４−２３と同様の機能を有する全てボタンＧ４−３３の他に、紙幣のみボタンＧ４−３５と硬貨のみボタンＧ４−３７が表示されている。紙幣のみボタンＧ４−３５は、全ての金種の紙幣のみについて再精査を行うことを指示するボタンであり、硬貨のみボタンＧ４−３７は、全ての金種の硬貨のみについて再精査を行うことを指示するボタンである。この例では、紙幣については再精査が必要ない場合を示しており、このため紙幣のみボタンＧ４−３５には但し書きの記載は無く、一方、硬貨については再精査が必要な場合を示しているので、硬貨のみボタンＧ４−３７には但し書きとして「（不確定の可能性あり）」の表示を行っている。従って、再精査を行う場合は、通常は、硬貨のみボタンＧ４−３７が押下される。
【００３７】
そして例えば図１１（ａ）に示す再精査画面Ｇ４−１が表示された場合は、在高不確定硬貨のみボタンＧ４−１１を押下して選択した後に（この例の場合、ボタンが１つしかないので、押下しない構成としても良い）、実行ボタンＧ４４−１を押下し、再精査を指示する（ステップＳＴ５−３）。または例えば図１１（ｂ）に示す再精査画面Ｇ４−２が表示された場合は、当該在高不確定硬貨のみボタンＧ４−２１を押下して選択した後に、実行ボタンＧ４４−２を押下し、再精査を指示する（ステップＳＴ５−３）。または例えば図１１（ｃ）に示す再精査画面Ｇ４−３が表示された場合は、硬貨のみボタンＧ４−３７を押下して選択した後に、実行ボタンＧ４４−３を押下し、再精査を指示する（ステップＳＴ５−３）。即ち、これら再精査画面Ｇ４−１，Ｇ４−２，Ｇ４−３は、釣銭在高に異常が発生した可能性のある金種のみを選択して再精査する再精査手段である。これら再精査画面Ｇ４−１，Ｇ４−２，Ｇ４−３では、釣銭在高に異常が発生した可能性のある金種とその他の金種とを区別可能に表示しているので、釣銭在高に異常が発生した可能性のある金種のみについての再精査を容易に行うことができる。
【００３８】
これによって、ＣＰＵ１１などは、上記指定に係る再精査に必要な時間を算出し（ステップＳＴ５−４）、次に、図１２に示す再精査実行確認画面Ｇ５を表示する（ステップＳＴ５−５）。再精査実行確認画面Ｇ５には、再精査に必要な時間が表示されており、再精査を実行するか否かを判断させる。再精査時間は、再精査が必要な金種（５０円と１０円と１円）のみについて行うので、全ての金種について再精査する場合に比べてかなり短い時間となる。このように再精査所要時間を報知することとすれば、作業者が再精査所要時間を認識することができるので、再精査を行う前に、再精査を行うか否かを容易に判断することができる。そして再精査実行確認画面Ｇ５中の承認ボタンＧ５１（「はい」）が押下されると（ステップＳＴ５−６の「Ｙ」）、釣銭機５０に再精査の開始を指示する（ステップＳＴ５−７）。同時に前記図１３に示す実行中画面Ｇ６が、点滅しながら表示される（ステップＳＴ５−８）。このとき実行中画面Ｇ６中に、残り時間を表示したり（カウントダウン）、経過時間を表示したり、残り時間に応じて長さを変えるバーを表示したり、一定間隔で表示内容を更新したりしてもよい。即ち、ステップＳＴ５−７やこれを実行するＣＰＵ１１等は、釣銭機５０に釣銭機５０内の在高の再計算を指示する再計算指示手段である。
【００３９】
なお、図１１に示す終了ボタンＧ４５−１，４５−２，４５−３は、元の画面であるレジ釣銭機速報画面Ｇ２や売上点検（精算）画面Ｇ３に戻るためのボタンであるが、一方で、再精査不要のボタンは設けていない。または再精査不要のボタンを設けた場合は、パスワードなどを設定することで、店長などの管理者権限のあるもののみ操作可能に構成する。これによって、再精査の操作がスキップされることを防止することができる。
【００４０】
図１４は、ＰＯＳ端末１０から再精査の指示を受信した際の釣銭機５０における動作フロー図である。同図に示すように、ＰＯＳ端末１０から再精査の指示が入力されると（ステップＳＴ４−１）、釣銭機５０内で上記再精査が必要な金種のみの再精査処理が行われる（ステップＳＴ４−２）。再精査の結果、判読不能貨幣が検出されなかった場合は、再精査処理前と再精査処理後の金種別枚数をＰＯＳ端末１０に出力する（ステップＳＴ４−３→ＳＴ４−４）。一方、再精査の結果、判読不能貨幣が検出された場合は、判読不能貨幣が検出されたことをＰＯＳ端末１０に出力すると共に（ステップＳＴ４−５）、再精査処理前と再精査処理後の金種別枚数をＰＯＳ端末１０に出力する（ステップＳＴ４−４）。
【００４１】
上述のように、釣銭機５０による再精査が必要な金種（５０円と１０円と１円）のみの再精査が終了すると、ＰＯＳ端末１０では、図１０に示すステップＳＴ５−９に移行し、釣銭機５０から、判読不能貨幣の有無の情報と、再精査処理前後の金種毎の枚数情報を入力する。即ち、ステップＳＴ５−９やこれを実行するＣＰＵ１１等は、釣銭機５０から再計算前の在り高情報と再計算後の在り高情報を取得する取得手段である。そして、再精査中に判読不能貨幣が検出されていた場合は、判読不能貨幣が検出されていたことを表示すると共にパスワードの入力を求める図１５に示す判読不能貨幣検出表示兼パスワード入力画面Ｇ７を表示する（ステップＳＴ５−１０、ＳＴ５−１１）。そしてパスワードが入力されると、釣銭機５０から判読不能貨幣が排出される（ステップＳＴ５−１３）。
【００４２】
前記パスワードが入力されて判読不能貨幣が排出された場合（ステップＳＴ５−１３）、または前記再精査中に判読不能貨幣が検出されなかった場合（ステップＳＴ５−１０の「Ｎ」）は、再精査の結果を表示する（ステップＳＴ５−１４）。図１６は再精査結果表示画面Ｇ８である。同図に示すように、再精査結果表示画面Ｇ８には、再精査後（再計算後）の在り高情報Ｇ８１と、再精査前（再計算前）の在り高情報Ｇ８３と、補充枚数との差Ｇ８５と、ニアエンド設定枚数Ｇ８７と、充填割合表示Ｇ８９と、各種ボタンとが表示されている。なお、再精査が行われた金種は、上述のように、再精査が必要な金種（５０円と１０円と１円）のみである。
【００４３】
再精査後の在り高情報Ｇ８１には、再精査によって集計した、収納庫内に収納されている各硬貨の枚数と、金庫内に収納されている各硬貨の枚数と、合計金額とが表示される。一方、再精査前の在り高情報Ｇ８３には、再精査前（前回精査した後に出金と入金が行われたデータを加減算した結果）の、計算上収納庫内に収納されている各硬貨の枚数と、計算上金庫内に収納されている各硬貨の枚数と、計算上の合計金額とが表示される。なお、再精査した金種は、再精査が必要な金種（５０円と１０円と１円）なので、これらの金種以外の金種については、再精査後の在り高情報Ｇ８１と再精査前の在り高情報Ｇ８３は同一になる。もちろん、再精査が必要な金種（５０円と１０円と１円）についても、同一になる場合が多々あるが、この例では再精査が必要な金種全てに相違があったものとしている。この相違は、釣銭機５０の動作エラーや、釣銭機５０が人によって開閉された際の不正や、上記判読不能貨幣の検出など、複数の原因が考えられる。
【００４４】
そして、再精査後の在り高情報Ｇ８１中の各硬貨の枚数の内、再精査前の在り高情報Ｇ８３中の各硬貨の枚数と相違する枚数の硬貨ａ１，ａ２、ａ３については、これを違う色（例えば通常は黒色のところ、異なる枚数の場合は赤色）で表示する。異なる色彩の代りに、数字の大きさを変えたり、別途マークを付したりする等しても良く、要は識別可能表示を行うものであればよい。これによって、計算上の在り高（再精査前の在り高情報）と実際の在り高（再精査後の在り高情報）の両者について、両者の違いを、再精査が必要な硬貨の種類毎に、容易に確認、認識することができる。さらには、その相違の原因を突き止めることも容易に行うことができる。
【００４５】
補充枚数との差の欄Ｇ８５には、釣銭機５０に入っていてほしい枚数（基準枚数）が予め設定されているので、その枚数と実際に収納されている枚数との差を、貨幣の種類毎に表示している。これによって、補充の要否とその必要枚数とを、貨幣の種類毎に容易に把握することができる。ニアエンド設定枚数Ｇ８７の欄には、貨幣の種類毎の最低必要収納枚数が表示されている。そして表示されている枚数以下になったときには、これを報知する構成となっている。充填割合表示の欄Ｇ８９には、釣銭機５０内の最大許容枚数に対する現在入っている枚数を、貨幣の種類毎にパーセント表示（棒グラフ表示）するものであるが、この図では、実際の表示は省略している。各種ボタンの内、硬貨紙幣切換ボタンＧ９１は、再精査結果表示画面Ｇ８において、硬貨に関して表示する場合と、紙幣に関して表示する場合とを切り換えるボタンである。図１６が硬貨に関して表示していることは言うまでもない。なお、硬貨と紙幣に関する表示を１つの画面において行うように構成しても良い。
【００４６】
図１０に戻って、前記再精査結果表示画面Ｇ８のタッチパネル１７への表示と共に、再精査の結果を、レシートに印字し出力する（ステップＳＴ５−１５）。図１７（ａ）は、印字されたレシート１４０−１の一例を示す図である。レシート１４０−１は、判読不能貨幣があって、ステップＳＴ５−１３で、これら判読不能貨幣を釣銭機５０の外部に排出した場合のレシートである。レシート１４０−１には、レジ番号１４１と、精査前金種等表示欄１４３と、精査後金種等表示欄１４５と、判読不能貨幣枚数欄１４７と、判読不能貨幣異常排出表示欄１４９とが印字されている。精査前金種等表示欄１４３と精査後金種等表示欄１４５は、何れも金種別に、収納庫内の貨幣の数、金庫内の貨幣の数、金種毎の合計枚数、金種毎の合計金額、全体の合計金額が表示されている。そして、精査前金種等表示欄１４３と精査後金種等表示欄１４５で、貨幣の枚数が相違するものについては、合計金額の隣に、印（マーク）ｂ１，ｂ２、ｂ３を印字している。印の代りに、白抜き、色彩を変える、文字を大きくする等しても良く、要は識別可能表示を行うものであればよい。
【００４７】
判読不能貨幣枚数欄１４７には、ステップＳＴ５−１３において釣銭機５０の外部に排出された判読不能貨幣の枚数が表示されている。判読不能貨幣がない場合、即ちステップＳＴ５−１０からＳＴ５−１４に直接移行した場合は、この判読不能貨幣枚数欄１４７は表示しない（または「０」として表示してもよい）。判読不能貨幣異常排出表示欄１４９は、判読不能貨幣を排出する際に異常が発生した場合に表示される欄であり、正常に排出された場合は表示しない。このように、再計算前の在り高情報と再計算後の在り高情報とを、印字によって表示すれば、両在り高情報を確実に利用者に認識させることができる。
【００４８】
また、図１７（ｂ）に示すレシート１４０−２のように、精査後金種等表示欄１４５には、異常が発生した金種のみを表示しても良い。このように構成すれば、レシート１４０−２の長さ寸法を短くでき、用紙を節約することができる。また、再精査の際、全ての金種において異常がなかった場合は、精査後金種等表示欄１４５や判読不能貨幣枚数欄１４７や判読不能貨幣異常排出表示欄１４９の記載を省略し、「異常は確認されませんでした」などの表示を行っても良い。
【００４９】
一方、ステップＳＴ５−６において、非承認ボタンＧ５２（「いいえ」）が押下された場合は、再精査は行わず、メインメニュー画面Ｇ１を表示し（ステップＳＴ５−１６）、この処理フローを終了する。
【００５０】
上記図１０に示す動作フローでは、再精査ボタンＧ２１またはＧ３１が押下された場合（ステップＳＴ５−１）に、再精査画面Ｇ４を表示する構成としているが、ステップＳＴ５−２，ＳＴ５−３を省略し、直接再精査が必要な金種のみについて再精査を開始しても良い。この場合、ステップＳＴ５−１から直接ステップＳＴ５−４に移行する。さらに再精査時間の算出や表示も省略して、即ちステップＳＴ５−４〜ＳＴ５−７、ＳＴ５−１６を省略し、ステップＳＴ５−１から直接ステップＳＴ５−８に移行するように構成しても良い。さらに上記例では、売上点検ボタンＧ１２又は売上精算ボタンＧ１３が押下されると売上点検（精算）画面Ｇ３が表示されて再精査ボタンＧ３１を押下する構成としているが、売上点検（精算）画面Ｇ３を表示せず、売上点検ボタンＧ１２又は売上精算ボタンＧ１３が押下されると直接ステップＳＴ５−４に移行したり、直接ステップＳＴ５−８に移行したりするように構成しても良い。このように構成すれば、再精査が必要な金種のみについて再精査する際の操作がさらに簡略化され、さらに再精査時間の短縮を図ることができる。
【００５１】
また売上点検ボタンＧ１２が押下されるのは、使用中のＰＯＳ端末１０においてこれを操作する店員が交代する場合なので、早急な再精算処理が求められ、このため簡易に、再精査が必要な金種のみについて再精査を行うように構成することが好ましい。一方、売上精算ボタンＧ１３が押下されるのは、一日の業務が終了して売上回収を行う際に釣銭機５０の状態を確認するためのものなので、閉店後で時間に余裕があり、また実在高を確定することなどが求められるので、全金種について再精査を行うように構成してもよい。
【００５２】
ところで、上記レシート１４０−１，１４０−２に印字した、判読不能貨幣枚数欄１４７や、判読不能貨幣異常排出表示欄１４９は、図１６に示す再精査結果表示画面Ｇ８中に表示しても良い。
【００５３】
図１８は、この商品販売データ処理装置１において、閉設処理（レジ締め処理）を行う場合の概略フロー図である。この閉設処理フローは、再精査の必要がある状態で閉設処理が指示された際に、閉設処理を禁止し、再精査を優先して行う処理フローである。このように処理するのは、再精査が必要であるにもかかわらず閉設処理を行ってしまうと、売上金額と回収金額に誤差が生じてしまい（俗に言う違算）、後になって何が原因で誤差が生じたのかが分からなくなってしまう虞があるからである。即ち、図３に示すように、ＰＯＳ端末１０のタッチパネル１７に表示された、図示しない閉設処理の指示ボタンが押下されたことをＣＰＵ１１が受信すると（ステップＳＴ６−１）、ＣＰＵ１１は、前記釣銭機５０から再精査が必要である旨の情報を取得していたか否かを判断し（ステップＳＴ６−２）、取得してなかった場合は、そのまま閉設処理を行う（ステップＳＴ６−４）。一方、取得していた場合は、再精査を既に行ったか否かを判断し（ステップＳＴ６−３）、行っていたら、閉設処理を行う（ステップＳＴ６−４）。一方、ステップＳＴ６−３において、再精査を行っていなかった場合は、タッチパネル１７に、再精査が必要であることを表示（報知）し（ステップＳＴ６−５）、閉設処理を行うことなく、この処理を終了する。なおステップＳＴ６−３において、再精査を行っていなかった場合に、ステップＳＴ６−３の上に戻すことで、再精査が行われるまで、閉設処理の実行を待つように構成しても良い。その場合も、再精査が必要であることをタッチパネル１７に表示（報知）することが好ましい。
【００５４】
即ち、この処理フローによれば、再精査が必要ではあるが、その処理が行われていない場合に、閉設処理の指示が行われると、上述のようにタッチパネル１７に再精査が必要である旨を報知すると共に、閉設処理を禁止する。これによって、閉設処理の前に、確実に再精査を行わせることができる。また、自動で閉設処理を行うような場合、要再精査情報を取得している場合は、自動で再精査を行うようにし、再精査前後の情報も自動で出力されるようになっていても良い。
【００５５】
また、紙幣及び硬貨の再精査を行った後に入出金を伴う操作が行われていない場合は、閉設処理時に再精査を実行する必要はないが、通常、閉設処理時は違算の発生を防止するために、必ず全ての金種（紙幣及び硬貨）の再精査が必要である。よって、閉設処理のルーチンにおいて全ての金種の再精査を必須条件としても良い。
閉設処理の場合は、再精査は強制的に全ての金種として、紙幣または硬貨の選択や金種毎の選択を行う操作を無効にするようにしても良い。当該操作を実行するボタンなど非表示にしても良い。閉設処理内での再精査の未実施は基本的には禁止だが、管理者権限によるスキップや閉設処理の停止等も実施可能であっても良い。即ち、再精査手段は、閉設処理を実行するとき、それぞれの金種の選択を行うことを禁止する禁止手段を備えても良い。これによって違算の発生を確実に防止することができる。
【００５６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの構成であっても、本願発明の作用・効果を奏する以上、本願発明の技術的思想の範囲内である。例えば、上記実施形態では、再精査（再計算）前後の在り高情報に差異がある場合の再計算の結果を、タッチパネルの画面とレシートの両者に出力する構成とし、これによって両在り高間に相違が生じていること及び差異の状態を容易且つ正確に認識することを可能としているが、本発明はこれに限定されず、画面表示のみ、またはレシート発行のみとしても良い。また上記実施形態では、ＰＯＳ端末として、登録装置と精算装置が一体である装置を使用したが、両者が分かれている場合でも同様に適用できる。また、本発明は、自動販売機や券売機でも適用できる。さらに、釣銭釣札機に有価証券の認識機能を有する場合、有価証券の種類毎に再精算を実行する機能を有しても良い。
【００５７】
また、上記実施形態に係るＰＯＳ端末１０や釣銭機５０で実行されるプログラムは、ＲＯＭ１３やＲＯＭ５３等に予め組み込まれて提供されるものとしているが、これに限られず、インストール可能な形式または実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成しても良い。また、上記実施形態のＰＯＳ端末１０や釣銭機５０で実行されるプログラムを、インターネット等のネットワークに接続されたコンピュータ上に格納し、ネットワーク経由でダウンロードさせることにより提供するように構成しても良い。
【００５８】
また上記例では、精査ボタンＧ２１と「釣機在高不確定」の表示Ｇ２３とをレジ釣銭機速報画面Ｇ２に表示する例を示したが、これら再計算が必要である旨の報知（Ｇ２１，Ｇ２３等）は、上記レジ釣銭機速報画面Ｇ２以外の画面において必要なタイミングで表示しても良く、例えば図６のメインメニュー画面Ｇ１中に表示しても良い。なお「釣銭機内の在り高」は、ＰＯＳ端末が持っている「実在り高」と同じである。また出力された印字データは出力したイメージと同じ形で電子ジャーナルに記憶される。
【００５９】
また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００６０】
１  商品販売データ処理装置              １０  ＰＯＳ端末（データ処理部）
１１  ＣＰＵ                            １３  ＲＯＭ
１５  ＲＡＭ                            １７  タッチパネル（表示部、出力部）
１９  客側表示部                        ２１  印字出力部（出力部）
２３  キー操作部                        ２５  スキャナ部
２７  通信部                            ２９  バス
３１  ドロアー                          ５０  釣銭機（自動釣銭釣札機）
５１  ＣＰＵ                            ５３  ＲＯＭ
５５  ＲＡＭ                            ５７  ソレノイド制御部
５９  通信部                            ６１  モータ制御部
６３  センサ制御部                      ６５  バス
６７  ソレノイド                        ６８  モータ
６９  センサ                            ７１  制御部
７３  貨幣収納部                        ７５  搬送部
７５１  入金金種内訳検出部              ７５３  出金金種内訳検出部
７７  紙幣投入部                        ７９  硬貨投入部
８１  紙幣払出部                        ８３  硬貨払出部
１００  ＰＯＳシステム                  １１０  管理装置
１３０  ネットワーク                    １４０−１，２  レシート
１４１  レジ番号
１４３  精査前金種等表示欄              １４５  精査後金種等表示欄
１４７  判読不能貨幣枚数欄              １４９  判読不能貨幣異常排出表示欄
２１０  ＬＡＮ                          Ｇ１  メインメニュー画面
Ｇ１１  売上速報ボタン                  Ｇ１２  売上点検ボタン
Ｇ１３  売上精算ボタン                  Ｇ２  レジ釣銭機速報画面
Ｇ２１  精査ボタン                      Ｇ２３  釣機在高不確定表示
Ｇ２５  硬貨紙幣切換ボタン              Ｇ３  売上点検（精算）画面
Ｇ３１  釣機再精査ボタン                Ｇ４−１〜３  再精査画面
Ｇ５  再精査実行確認画面                Ｇ５１  承認ボタン
Ｇ５２  非承認ボタン                    Ｇ６  実行中画面
Ｇ７  判読不能貨幣検出表示兼パスワード入力画面
Ｇ８  再精査結果表示画面
Ｇ８１  再精査後（再計算後）の在り高情報
Ｇ８３  再精査前（再計算前）の在り高情報
Ｇ８５  補充枚数との差                  Ｇ８７  ニアエンド設定枚数
Ｇ８９  充填割合表示                    Ｇ９１  硬貨紙幣切換ボタン
【図１】
2019197274.tif 000003
【図２】
2019197274.tif 000004
【図３】
2019197274.tif 000005
【図４】
2019197274.tif 000006
【図５】
2019197274.tif 000007
【図６】
2019197274.tif 000008
【図７】
2019197274.tif 000009
【図８】
2019197274.tif 000010
【図９】
2019197274.tif 000011
【図１０】
2019197274.tif 000012
【図１１】
2019197274.tif 000013
【図１２】
2019197274.tif 000014
【図１３】
2019197274.tif 000015
【図１４】
2019197274.tif 000016
【図１５】
2019197274.tif 000017
【図１６】
2019197274.tif 000018
【図１７】
2019197274.tif 000019
【図１８】
2019197274.tif 000020